(57)【特許請求の範囲】
【請求項１】
縦方向および横方向を有し、身体側およびその反対側である非身体側と、前後ウエスト域のいずれか一方である第１ウエスト域と、いずれか他方である第２ウエスト域と、これら第１および第２ウエスト域の間に位置するクロッチ域と、前記縦方向における寸法を二等分する仮想横中心線とを有するシャーシと、少なくとも前記第２ウエスト域および前記クロッチ域に位置する吸水性の吸収体と、前記吸収体の前記横方向外側に位置するサイドフラップと、前記第２ウエスト域に取り付けられ前記第１および第２ウエスト域を互いに連結する連結手段とを含む使い捨て着用物品において、
前記サイドフラップは、前記第２ウエスト域に位置する第２サイドフラップと、前記クロッチ域に位置するクロッチサイドフラップとを有し、
前記連結手段は、前記第２サイドフラップに固定される固定部と、前記固定部から前記横方向外側に延びて前記第１ウエスト域に連結可能な延出部とを有し、  前記固定部は、前記縦方向に延びる内外側縁と、前記横方向に延びる前後端縁とによって画定され、
前記外側縁と前記前端縁との交点と、前記吸収体の側縁および前記仮想横中心線の交点とを結ぶ仮想線が、前記第２サイドフラップおよび前記クロッチサイドフラップ上に位置し、前記第２サイドフラップの前記縦方向における曲げ剛性が０．１０〜０．２０Ｎ／ｍであり、前記横方向における曲げ剛性が０．０５〜０．１０Ｎ／ｍであり、
前記シャーシは、前記身体側に位置する表面シートと、前記非身体側に位置する裏面シートとを有し、
これらシートの間には、漏れ防止シートが取り付けられ、前記裏面シートと前記漏れ防止シートとが、接合手段によって互いに接合されるとともに、前記接合手段の前記横方向外側には、前記裏面シートと前記漏れ防止シートとが互いに接合されない非接合領域が形成され、
前記漏れ防止シートの前記裏面シートに対向する面とは反対側の面であって、前記非接合領域に重なる位置には、少なくとも前記クロッチサイドフラップに位置するとともに、前記縦方向に伸長状態で収縮可能なサイドフラップ弾性体が取り付けられることを特徴とする前記使い捨て着用物品。
【請求項２】
前記仮想線は、前記吸収体の側縁よりも前記横方向外側に位置する請求項１記載の使い捨て着用物品。
【請求項３】
前記サイドフラップ弾性体は、前記仮想線と交差される請求項１又は２に記載の使い捨て着用物品。
【請求項４】
前記仮想線と、前記シャーシの側縁との前記横方向における離間寸法が５〜２０ｍｍである請求項１〜３のいずれかに記載の使い捨て着用物品。
【請求項５】
前記仮想線と、前記仮想横中心線とのなす角度が４５°〜６０°である請求項１〜４のいずれかに記載の使い捨て着用物品。
【請求項６】
前記吸収体の前記第２ウエスト域の前記横方向における寸法が、前記仮想横中心線におけるそれよりも大きくされる請求項１〜５のいずれかに記載の使い捨て着用物品。
【請求項７】
前記仮想横中心線において、前記吸収体の寸法は、前記シャーシの寸法の０．２〜０．４倍である請求項１〜６のいずれかに記載の使い捨て着用物品。
【発明の詳細な説明】
【技術分野】
【０００１】
この発明は、使い捨て着用物品に関し、より詳しくは、連結部材で前後ウエスト域を連結して使用するオープンタイプの使い捨ておむつ、使い捨てのトイレット・トレーニングパンツ、使い捨て失禁パンツ、使い捨ての生理用パンツ等の使い捨て着用物品に関する。
【背景技術】
【０００２】
従来、締結部材で前後ウエスト域を連結して使用するいわゆるオープンタイプの使い捨て着用物品は公知である。例えば、特許文献１には、液透過性の表面シートと、液不透過性の防漏シートと、液保持性の吸収体と、吸収体の両側部に形成されたサイドフラップとを有する使い捨ておむつが開示されている。サイドフラップには、ファスニングテープが設けられ、このファスニングテープによって、背側部分と腹側部分とが連結され、パンツ形状のおむつとすることができる。サイドフラップには、縦方向に延びるフラップ部弾性部材が取り付けられ、サイドフラップを縦方向に弾性化している。特許文献２には、吸収性本体と、吸収性本体の幅方向外方に延出するフラップ部とを有する使い捨ておむつが開示されている。フラップ部には、ファスニングテープが設けられ、このファスニングテープによっておむつの背側と腹側とが連結され、パンツ形状のおむつとすることができる。フラップ部には、複数本のフラップ弾性部材がおむつの幅方向に沿って配されている。
【先行技術文献】
【特許文献】
【０００３】
【特許文献１】特開２００１−２１２１７５号公報（ＪＰ２００１−２１２１７５Ａ）
【特許文献２】特開２００８−１６１５２７号公報（ＪＰ２００８−１６１５２７Ａ）
【発明の概要】
【発明が解決しようとする課題】
【０００４】
上記のような特許文献１および２記載の使い捨ておむつは、サイドフラップに縦方向または横方向に延びる弾性部材を取り付けることによって、サイドフラップが着用者の身体に密着し、これがめくれたりしないようにしている。このようなおむつは、尿等を吸収体が吸収して重くなると、おむつの股下部分が下がってしまい、おむつ全体がずり下がるという問題があった。
【０００５】
この発明では、排尿等があった場合でもずり下がることがない使い捨て着用物品を提供することを課題とする。
【課題を解決するための手段】
【０００６】
この発明は、縦方向および横方向を有し、身体側およびその反対側である非身体側と、前後ウエスト域のいずれか一方である第１ウエスト域と、いずれか他方である第２ウエスト域と、これら第１および第２ウエスト域の間に位置するクロッチ域と、前記縦方向における寸法を二等分する仮想横中心線とを有するシャーシと、少なくとも前記クロッチ域に位置する吸水性の吸収体と、前記吸収体の前記横方向外側に位置するサイドフラップと、前記第２ウエスト域に取り付けられ前記第１および第２ウエスト域を互いに連結する連結手段とを含む使い捨て着用物品の改良にかかわる。
この発明は、前記使い捨て着用物品において、前記サイドフラップは、前記第２ウエスト域に位置する第２サイドフラップと、前記クロッチ域に位置するクロッチサイドフラップとを有し、前記連結手段は、前記第２サイドフラップに固定される固定部と、前記固定部から前記横方向外側に延びて前記第１ウエスト域に連結可能な延出部とを有し、前記固定部は、前記縦方向に延びる内外側縁と、前記横方向に延びる前後端縁とによって画定され、前記外側縁と前記前端縁との交点と、前記吸収体の側縁および前記仮想横中心線の交点とを結ぶ仮想線が、前記第２サイドフラップおよび前記クロッチサイドフラップ上に位置し、前記第２サイドフラップの前記縦方向における曲げ剛性が０．１０〜０．２０Ｎ／ｍであり、前記横方向における曲げ剛性が０．０５〜０．１０Ｎ／ｍであり、前記シャーシは、前記身体側に位置する表面シートと、前記非身体側に位置する裏面シートとを有し、これらシートの間には、漏れ防止シートが取り付けられ、前記裏面シートと前記漏れ防止シートとが、接合手段によって互いに接合されるとともに、前記接合手段の前記横方向外側には、前記裏面シートと前記漏れ防止シートとが互いに接合されない非接合領域が形成され、前記漏れ防止シートの前記裏面シートに対向する面とは反対側の面であって、前記非接合領域に重なる位置には、少なくとも前記クロッチサイドフラップに位置するとともに、前記縦方向に伸長状態で収縮可能なサイドフラップ弾性体が取り付けられることを特徴とする。
【発明の効果】
【０００７】
この発明の特にそのひとつ以上の実施態様によれば、第２サイドフラップおよびクロッチサイドフラップの縦方向における曲げ剛性が０．１０〜０．２０Ｎ／ｍであり、横方向における曲げ剛性が０．０５〜０．１０Ｎ／ｍであるので、第２サイドフラップおよびクロッチサイドフラップが捲れにくい。また、仮想線の端部が第２サイドフラップ上に位置するので、第２サイドフラップに位置する連結手段で前後ウエスト域を連結させることによって、着用物品を着用者のウエストで確実に保持することができる。したがって、着用物品がずり下がり難い。
【図面の簡単な説明】
【０００８】
【図１】使い捨て着用物品の一実施形態である使い捨ておむつのパンツ型にした状態を示す斜視図。
【図２】展開したおむつの平面図。
【図３】おむつの分解斜視図。
【図４】図２のＩＶ−ＩＶ線切断端面図。
【図５】図２のＶ-Ｖ線切断端面図。
【図６】おむつの着用状態を示す図。
【発明を実施するための形態】
【０００９】
図１は、この発明の使い捨て着用物品の一例として示す、使い捨ておむつ１の前後ウエスト域を連結部材で連結しパンツ型にした状態の斜視図、図２は展開したおむつ１の平面図、図３はおむつ１の分解斜視図、図４は図２のＩＶ−ＩＶ線切断端面図、図５は図２のＶ−Ｖ線切断端面図である。図２〜５において、各弾性体は、その収縮力に抗して伸長させた状態で示している。図６は、おむつ１の着用状態を着用者の側方から見た図である。
【００１０】
図１に示したように、おむつ１は、縦方向Ｙおよび横方向Ｘを有し、前ウエスト域１１および後ウエスト域１２、これら前後ウエスト域１１，１２間に位置するクロッチ域１３と、横方向Ｘに延びる前後端縁１４，１５と、縦方向Ｙに延びる両側縁１６とを有する。前ウエスト域１１がこの発明の第１ウエスト域であり、後ウエスト域１２が第２ウエスト域である。おむつ１は、後ウエスト域１２に取り付けられたフック要素８１と、前ウエスト域に取り付けられたループ要素８２とを連結することによって、パンツ型とすることができる。
【００１１】
図２〜５に示したように、おむつ１は、横方向Ｘにおける寸法を二等分する仮想縦中心線Ｐ−Ｐと、縦方向Ｙにおける寸法を二等分する仮想横中心線Ｑ−Ｑとを有し、仮想縦中心線Ｐ−Ｐにおいて、ほぼ対称にされている。対称に形成された構成要素の何れか一方については、その符号を一部省略している。
【００１２】
図３に示したように、おむつ１は、身体側に位置する液透過性の表面シート２０と、その反対側である非身体側（着衣側）に位置する不透液性の裏面シート３０と、これら表裏面シート２０，３０の間に位置する吸水性の吸収体４０と、吸収体４０および裏面シート３０の間に位置する漏れ防止シート５０とを有する。表面シート２０の身体側には、横方向Ｘに離間する一対の漏れバリアカフ６０が形成されている。表面シート２０と裏面シート３０とによって、この発明のシャーシ１０を形成している。
【００１３】
表面シート２０としては、例えば、質量約１５〜３５ｇ／ｍ２のポイントボンド繊維不織布を用いることができる。裏面シート３０としては、質量約１０〜３０ｇ／ｍ２のスパンボンド・メルトブローン・スパンボンド（ＳＭＳ）繊維不織布もしくはスパンボンド繊維不織布、または、プラスチックシートやそれら繊維不織布とプラスチックシートのラミネートを用いることができる。
【００１４】
漏れバリアカフ６０としては、質量約１０〜３０ｇ／ｍ２のスパンボンド・メルトブローン・スパンボンド（ＳＭＳ）繊維不織布を用いることができる。漏れバリアカフ６０の前後端縁６１，６２は、表面シート２０の前後端縁２１，２２と一致して積層され、図示しないホットメルト接着剤等によって互いに接合されている。漏れバリアカフ６０の外側縁６３は、裏面シート３０の両側縁３３に重なり、図示しないホットメルト接着剤等によって互いに接合されている。漏れバリアカフ６０の内側縁６４は、横方向Ｘに離間して配置され、これら内側縁６４は、表面シート２０に重なるが、これとは接合されず、表面シート２０から離間可能にされている。内側縁６４には、縦方向Ｙに延びるカフ弾性体６５が伸長状態で収縮可能に取り付けられる。このようにカフ弾性体６５を取り付けることによって、内側縁６４が表面シート２０から起立するように離間して着用者の肌に密着し、尿等がおむつ１の外側に漏れるのを防止する。
【００１５】
吸収体４０は、少なくとも後ウエスト域１２およびクロッチ域１３に位置し、この実施形態では、クロッチ域１３から前後ウエスト域１１，１２へと延出している。図５に示したように、吸収体４０は、吸水性の芯材４４と、芯材４４を覆うティッシュペーパ４５，４６とを有する。芯材４４としてフラッフパルプ、高吸収性ポリマー粒子、またはこれらの混合物を用いることができる。図２に示したように、吸収体４０は、前後ウエスト域１１，１２の横方向Ｘにおける寸法が、仮想横中心線Ｑ−Ｑにおける寸法よりも大きくされている。より詳細には、吸収体４０は、少なくとも前後ウエスト域１１，１２においては、その横方向Ｘにおける寸法が等しく、クロッチ域１３において、その横方向Ｘに寸法が仮想横中心線Ｑ−Ｑに向かって徐々に小さくされている。
【００１６】
表裏面シート２０，３０と吸収体４０とは、図示しないホットメルト接着剤等の接合手段によって、互いに接合されている。吸収体４０は、表裏面シート２０，３０よりもその表面積が小さくされ、吸収体４０の前後端縁４１，４２および両側縁４３から表裏面シート２０，３０が延出する。したがって、吸収体４０の縦方向Ｙ外側および横方向Ｘ外側には、吸収体４０が存在しない前後フラップ７４，７５およびサイドフラップが形成される。サイドフラップは、前ウエスト域１１に位置する第１サイドフラップ７１と、後ウエスト域１２に位置する第２サイドフラップ７２と、クロッチ域１３に位置するクロッチサイドフラップ７３とを有する。クロッチサイドフラップ７３には、縦方向Ｙに延びるサイドフラップ弾性体７６が取り付けられている。サイドフラップ弾性体７６は、表裏面シート２０，３０の少なくともいずれか一方にホットメルト接着剤等の接着手段を介して接合され、縦方向Ｙに伸長状態で収縮可能に取り付けられる。
【００１７】
吸収体４０と裏面シート３０との間には漏れ防止シート５０が配置されている。漏れ防止シート５０は、不透液性かつ非通気性のプラスチックフィルムを用いることができる。漏れ防止シート５０は吸収体４０よりもその面積が大きくされている。したがって、吸収体４０で吸収された尿等がおむつ１外に漏れるのを防止することができる。
【００１８】
裏面シート３０と漏れ防止シート５０とは、ホットメルト接着剤等の接合手段９０によって、互いに接合される。接合手段９０の両側縁９３は、裏面シート３０の両側縁３３よりも横方向Ｘ内側に位置するとともに、漏れ防止シート５０の両側縁５３よりも横方向Ｘ内側に位置する。これら両側縁３３，５３の近傍には、接合手段９０が形成されてない非接合領域９４が形成される。非接合領域９４では、裏面シート３０と漏れ防止シート５０とが互いに接合されていない。漏れ防止シート５０の裏面シート３０に対向する面とは反対側の面であって、非接合領域９４に重なる位置にサイドフラップ弾性体７６が取り付けられる。この実施形態では、ストリング状またはストランド状の複数本のサイドフラップ弾性体７６が取り付けられ、これらサイドフラップ弾性体７６と接合手段９０とは重ならないようにされている。なお、少なくともサイドフラップ弾性体７６の一部が接合手段９０の横方向Ｘ外側に位置すればよく、その一部が接合手段９０に重なっていてもよい。接合手段９０は、例えば裏面シート３０にコーター塗工等によって連続的に形成されるものであってもよいし、スパイラルスプレー等によって間欠的に形成されるものであってもよい。
【００１９】
フック要素８１は、支持シート８３を介して後ウエスト域１２に取り付けられている。支持シート８３は、第２サイドフラップ７２に固定される固定部８４と、固定部８４から側縁１６の横方向Ｘ外側に延出する延出部８５とを有し、延出部８５にフック要素８１が取り付けられる。固定部８４は、漏れバリアカフ６０と裏面シート３０との間に位置し（図３および４参照）、縦方向Ｙに延びる内外側縁８４ａ，８４ｂと、横方向Ｘに延びる前後端縁８４ｃ，８４ｄとによって画定されている。
【００２０】
固定部８４の外側縁８４ｂと前端縁８４ｃとの交点Ａと、吸収体４０の側縁４３と仮想横中心線Ｑ−Ｑとの交点Ｂとを結ぶ仮想線Ｒは、第２サイドフラップ７２およびクロッチサイドフラップ７３上に位置している。すなわち、仮想線Ｒは、吸収体４０には重ならず、その横方向Ｘ外側に位置する。
【００２１】
サイドフラップ弾性体７６は、後端７６ｂが仮想線Ｒよりも後ウエスト域１２側に延びている。すなわち、サイドフラップ弾性体７６と仮想線Ｒとが互いに交差されている。サイドフラップ弾性体７６の前端７６ａは、クロッチ域１３から前ウエスト域１１側に延びている。
【００２２】
第１および第２サイドフラップ７１，７２およびクロッチサイドフラップ７３の縦方向Ｙにおける曲げ剛性は、約０．１０〜０．２０Ｎ／ｍであって、横方向Ｘにおける曲げ剛性は、約０．０５〜０．１０Ｎ／ｍである。これら曲げ剛性は、以下の方法によって測定した。
【００２３】
＜曲げ剛性の測定方法＞
曲げ剛性は、ＫＥＳ試験によって測定した。ＫＥＳ試験はＫＥＳ−ＦＢ２−ＡＵＴＯ−Ａ  自動純曲げ試験機（カトーテック株式会社）を用いて測定した。仮想線Ｒを含む範囲で１０ｍｍ×１０ｍｍをサンプル片として用い、温度２０℃、湿度６０％の条件下で測定した。より詳細には、サンプル片として、クロッチサイドフラップ７３に位置し、裏面シート３０、漏れ防止シート５０および漏れバリアカフ６０が積層された部分を縦方向Ｙにおいて１０ｍｍ、横方向Ｘおいて１０ｍｍとなるように切断して用いている。
このようなサンプル片は、ＫＥＳ試験機にセットされ、フルスケール１０ｇｆ／ｃｍ／１０ｖまでのトルク感度を有するＳＥＮ１０のセンサを用い、曲率（１／ｃｍ）で測定された。サンプル片は、縦方向Ｙおよび横方向Ｘにおける曲げ剛性がそれぞれ測定された。
【００２４】
図６に示したように、おむつ１はフック要素８１をループ要素８２に連結させることによって、前後ウエスト域１１，１２が連結されパンツ型のおむつ１として着用者Ｈに着用させることができる。このようなおむつ１の着用時に排尿があった場合、吸収体４０は尿を吸収して重くなり、おむつ１全体が図の下方へと引っ張られる。仮想線Ｒの一方の端部に位置する交点Ａにおいては、フック要素８１によって着用者のウエストでおむつ１が保持され、仮想線Ｒの他方の端部に位置する交点Ｂにおいては、おむつ１が下方へ引っ張られるから、おむつ１は仮想線Ｒに沿って引っ張られることになる。交点Ａが着用者Ｈに確実に保持されるとともに、仮想線Ｒが位置する第２サイドフラップ７２およびクロッチサイドフラップ７３の縦方向Ｙにおける曲げ剛性が約０．１０〜０．２０Ｎ／ｍ、横方向Ｘにおける曲げ剛性が約０．０５〜０．１０Ｎ／ｍとされているので、おむつ１は、排尿があったとしてもその重さで垂れ下がることがない。おむつ１が吸収体の重さで垂れ下がらないので、これが着用者のウエストに対してずり下がることもなく、着用者に密着した着用状態を維持することができる。
【００２５】
第２サイドフラップ７２およびクロッチサイドフラップ７３の曲げ剛性を上記のようにしているので、これらサイドフラップが折れ曲がり難く、裏面シート３０側に捲れ上がったり、表面シート２０側に巻き込まれたりするのを防止することができる。したがって、これら第２サイドフラップ７２およびクロッチサイドフラップ７３は、着用者の臀部に沿ってこれを覆うことができる。着用者の臀部がフラップで覆われることによって、仮に排泄物がこれらサイドフラップから漏れたとしても、これを保持し、着衣に付着するのを防止することができる。また、臀部をフラップで覆うことによって、見た目にも良好なおむつ１を提供することができる。さらに、これらフラップが表面シート２０側に巻き込まれた場合には、巻き込まれた部分がおむつ１の内側に入り、排泄物が付着する可能性があるが、これを未然に防止することができる。
【００２６】
上記のようなおむつ１は、その着用時には、引っ張られた仮想線Ｒが着用者Ｈの太股付け根に沿って密着する。仮想線Ｒは、脚の動きの基点となる太股付け根に密着するので、着用者Ｈの脚の動きの妨げになることなく、尿等の漏れを防止することができる。また、下がろうとするおむつ１を仮想線Ｒによって着用者Ｈの太股付け根で保持することができ、おむつ１のずり下がりを防止することができる。第２サイドフラップ７２およびクロッチサイドフラップ７３の縦方向Ｙにおける曲げ剛性が０．２０Ｎ／ｍ、横方向Ｘにおける曲げ剛性が０．１０Ｎ／ｍよりそれぞれ大きい場合には、その全体が硬くなることで着用時にサイドフラップに作用する張力が仮想線Ｒに集中しなくなるから、サイドフラップの仮想線Ｒは着用者の身体に密着しにくくなる。
【００２７】
仮想線Ｒは、吸収体４０の横方向Ｘ外側に位置し、吸収体４０とは重ならないようにされている。したがって、仮想線Ｒが吸収体４０で分断されることがない。仮想線Ｒが吸収体４０と重なった場合には、交点Ａから交点Ｂまでの連続した引っ張り力が分断されてしまうから、サイドフラップの緊張状態が崩れ、サイドフラップがおむつ１の外側に捲れたり、内側に巻き込まれたりする可能性がある。この発明では、仮想線Ｒによってサイドフラップの伸張状態を維持することができるので、これらが捲れたり巻き込まれたりすることがない。
【００２８】
仮想線Ｒとサイドフラップ弾性体７６とが交差されているので、サイドフラップ弾性体７６が仮想線Ｒによって保持され、サイドフラップ弾性体７６が下方に垂れ下がるのを防止することができる。したがって、サイドフラップ弾性体７６およびこれが取り付けられたクロッチサイドフラップ７３は、着用者の鼠蹊部に密着することができ排泄物がおむつ１外に漏れるのを防止することができる。また、おむつ１の前後端縁１４，１５を掴んで引っ張り上げた際には、仮想線Ｒに沿っておむつ１のクロッチ域１３も引き上げられるので、容易に着用状態を整えることもできる。
【００２９】
サイドフラップ弾性体７６は、接合手段９０が形成されない非接合領域９４に取り付けられている。非接合領域９４では、接合手段９０が形成された領域に比べてその曲げ剛性が小さくされる。したがって、サイドフラップ弾性体７６の伸縮に順応してクロッチサイドフラップ７３が着用者の脚に柔軟に密着することができる。さらに、サイドフラップ弾性体７６は漏れ防止シート５０に取り付けられ、裏面シート３０とは離間して着用者に密着することができるので、より一層密着しやすい。また、曲げ剛性が小さい領域にサイドフラップ弾性体７６を取り付けているので、おむつ１を引っ張り上げた際に、その引き上げる力がサイドフラップ弾性体７６に伝達されやすく、クロッチサイドフラップ７３を着用者の鼠蹊部に密着させることができる。複数本のサイドフラップ弾性体７６のうちの一部が接合手段９０と重なった場合には、その重なったサイドフラップ弾性体７６が、漏れ防止シート５０および裏面シート３０を着用者側へと押し付けるとともに、接合手段９０に重ならないサイドフラップ弾性体７６に順応することができるから、より一層クロッチサイドフラップ７３を着用者の身体に密着させることができる。
【００３０】
この実施形態におけるサイドフラップ弾性体７６として、弾性糸を用いているが、これに限ったものではなく、弾性を有するシート等を用いることもできる。また、サイドフラップ弾性体７６の後端７６ｂが仮想線Ｒよりも後ウエスト域１２側に位置することとしているが、ここでいう後端７６ｂとは、サイドフラップ弾性体７６において弾性を実質的に発現する部分の後端を意味する。
【００３１】
仮想線Ｒとシャーシ１０の側縁１６との離間寸法は、約５〜２０ｍｍとされている。なお、仮想線Ｒと側縁１６とは、必ずしも平行に形成されているものではないので、これらが最も接近する部分であっても約５ｍｍよりも大きく、最も離間する部分であっても約２０ｍｍよりも小さくされる。したがって、第２サイドフラップ７２およびクロッチサイドフラップ７３は安定的に着用者の臀部を覆うことができる。離間寸法が５ｍｍよりも小さい場合には、フラップがおむつ１の内側に巻き込まれやすく、２０ｍｍよりも大きい場合には、着用者の脚の動きに引っ張られておむつ１がずれやすくなってしまう。
【００３２】
図２に示したように、シャーシ１０は、仮想横中心線Ｑ−Ｑにおける寸法Ｗ１が約１８０〜３００ｍｍであり、この実施形態では約２０５ｍｍとされ、吸収体４０は、仮想横中心線Ｑ−Ｑにおける寸法Ｗ２が約７０〜１００ｍｍであり、この実施形態では約８０ｍｍとされている。吸収体４０の寸法Ｗ２は、シャーシ１０の寸法Ｗ１の約０．２〜０．４倍にされている。すなわち、Ｗ２／Ｗ１＝０．２〜０．４とされている。このようにすることによって、クロッチサイドフラップ７３は、おむつ１の内側に巻き込まれず、かつ、着用者の臀部を覆うことができる。
【００３３】
仮想線Ｒと仮想横中心線Ｑ−Ｑとのなす角度は約４５〜６０°とされている。したがって、臀部全体を第２サイドフラップ７２およびクロッチサイドフラップ７３で覆うことができる。上記角度が４５°よりも小さい場合には、仮想線Ｒが着用者鼠蹊部よりも太股側に位置し、着用者の動きに合わせておむつ１を下方へと引っ張り、おむつ１が下方へとずれてしまう。上記角度が６０°よりも大きい場合には、仮想線Ｒが着用者の臀部に位置してしまい、十分に臀部を覆うことができない。
【００３４】
後ウエスト域１２の縦方向Ｙにおける寸法Ｌ１と、おむつ１の後端縁１５から仮想横中心線Ｑ−Ｑまでの寸法Ｌ２とを比較した場合、寸法Ｌ１がＬ２の約０．４〜０．７倍となるようにされている。すなわち、Ｌ１／Ｌ２＝０．４〜０．７となるようにしている。後ウエスト域１２とは、両側縁が平行に延びる部分である。上記Ｌ１／Ｌ２が０．４よりも小さい場合には、第２サイドフラップ７２の面積が小さくなってしまい、着用者の臀部を十分に覆うことができず、また、この第２サイドフラップ７２がおむつ１の内側に巻き込まれやすくなる。Ｌ１／Ｌ２が０．７よりも大きい場合には、第２サイドフラップ７２の面積が大きすぎて、これが着用者の脚の動きに引っ張られておむつ１がずれやすくなる。
【００３５】
支持シート８３が取り付けられた後ウエスト域１２において、支持シート８３の下端縁に沿って仮想横中心線Ｑ−Ｑに平行な仮想平行線Ｓ−Ｓと仮想線Ｒと吸収体４０の側縁４３とによって画定された領域Ｓ１と、仮想線Ｒと側縁１６と仮想横中心線Ｑ−Ｑとによって画定された領域Ｓ２とを比較すると、領域Ｓ２は領域Ｓ１の約０．４１〜０．８倍とされている。すなわち、Ｓ２／Ｓ１＝０．４１〜０．８とされている。上記領域Ｓ１は着用者の臀部に密着し易く、領域Ｓ２は着用者の臀部から離間して臀部を覆う。Ｓ２／Ｓ１が０．４１よりも小さいと臀部を覆う領域が小さくなり、着用者の臀部を十分に覆うことができない。また、おむつ１の内側に巻き込まれやすくなってしまう。Ｓ２／Ｓ１が０．８よりも大きいと、臀部を覆う領域Ｓ２が大きすぎ、着用者の脚の動きに引っ張られておむつ１がずれやすくなってしまう。また、おむつ１の着用時に着用者の足に引っかかって、はき難い可能性がある。
【００３６】
以上に記載したこの発明に関する開示は、少なくとも下記事項に要約することができる。
この発明は、以下の使い捨て着用物品１の改良にかかわる。使い捨て着用物品１は、縦方向Ｙおよび横方向Ｘを有し、身体側およびその反対側である非身体側と、前後ウエスト域１１，１２のいずれか一方である第１ウエスト域と、いずれか他方である第２ウエスト域と、これら第１および第２ウエスト域の間に位置するクロッチ域１３と、前記縦方向Ｙにおける寸法を二等分する仮想横中心線Ｑ−Ｑとを有するシャーシ１０と、少なくとも前記クロッチ域１３に位置する吸水性の吸収体４０と、前記吸収体４０の前記横方向Ｘ外側に位置するサイドフラップ７１，７２，７３と、前記第２ウエスト域に取り付けられ前記第１および第２ウエスト域を互いに連結する連結手段８１，８２とを含む。
【００３７】
この発明は、上記使い捨て着用物品１において、前記サイドフラップは、前記第２ウエスト域１２に位置する第２サイドフラップ７２と、前記クロッチ域１３に位置するクロッチサイドフラップ７３とを有する。前記連結手段は、前記第２サイドフラップ７２に固定される固定部８４と、前記固定部８４から前記横方向Ｘ外側に延びて前記第１ウエスト域に連結可能な延出部８５とを有し、前記固定部８４は、前記縦方向Ｙに延びる内外側縁８４ａ，８４ｂと、前記横方向Ｘに延びる前後端縁８４ｃ，８４ｄとによって画定される。前記外側縁８４ｂと前記前端縁８４ｃとの交点Ａと、前記吸収体４０の側縁４３および前記仮想横中心線Ｑ−Ｑの交点Ｂとを結ぶ仮想線Ｒが、前記第２サイドフラップ７２および前記クロッチサイドフラップ７３上に位置し、前記第２サイドフラップ７２の前記縦方向Ｙにおける曲げ剛性が０．１０〜０．２０Ｎ／ｍであり、前記横方向Ｘにおける曲げ剛性が０．０５〜０．１０Ｎ／ｍである。
【００３８】
上記の発明は、少なくとも下記の実施態様を含むことができる。
（１）前記仮想線Ｒは、前記吸収体４０の側縁４３よりも前記横方向Ｘ外側に位置する。
（２）前記シャーシ１０は、前記身体側に位置する表面シート２０と、前記非身体側に位置する裏面シート３０とを有する。これらシート２０，３０の間には、漏れ防止シート５０が取り付けられ、前記裏面シート３０と前記漏れ防止シート５０とが、接合手段９０によって互いに接合されるとともに、前記接合手段９０の前記横方向Ｘ外側には、前記裏面シート３０と前記漏れ防止シート５０とが互いに接合されない非接合領域９４が形成される。前記漏れ防止シート５０の前記裏面シート３０に対向する面とは反対側の面であって、前記非接合領域９４に重なる位置には、少なくとも前記クロッチサイドフラップ７３に位置するとともに、前記縦方向Ｙに伸長状態で収縮可能なサイドフラップ弾性体７６が取り付けられる。
（３）前記サイドフラップ弾性体７６は、前記仮想線Ｒと交差される。
（４）前記仮想線Ｒと、前記シャーシ１０の側縁１６との前記横方向Ｘにおける離間寸法が５〜２０ｍｍである。
（５）前記仮想線Ｒと、前記仮想横中心線Ｑ-Ｑとのなす角度が４５°〜６０°である。
（６）前記吸収体４０の前記第２ウエスト域１２の前記横方向Ｘにおける寸法が、前記仮想横中心線Ｑ−Ｑにおけるそれよりも大きくされる。
（７）前記仮想横中心線Ｑ−Ｑにおいて、前記吸収体４０の寸法は、前記シャーシ１０の寸法の０．２〜０．４倍である。
【００３９】
使い捨て着用物品の一例である使い捨ておむつ１を構成する各構成部材には、この明細書に記載されている材料のほかに、この種の分野において通常用いられている、各種の公知の材料を制限なく用いることができる。また、この発明の明細書において、用語「第１」および「第２」は、同様の要素、位置等を単に区別するために用いられている。
【符号の説明】
【００４０】
１    使い捨て着用物品（使い捨ておむつ）
１０    シャーシ
１１    前ウエスト域（第１ウエスト域）
１２    後ウエスト域（第２ウエスト域）
１３    クロッチ域
１６    両側縁
２０    表面シート
３０    裏面シート
４０    吸収体
４３    両側縁
５０    漏れ防止シート
７１    第１サイドフラップ
７２    第２サイドフラップ
７３    クロッチサイドフラップ
７６    サイドフラップ弾性体
８１    連結手段（フック要素）
８２    連結手段（ループ要素）
８３    連結手段（支持シート）
８４    固定部
８５    延出部
９０    接合手段
９４    非接合領域
Ｒ    仮想線
Ｘ    横方向
Ｙ    縦方向
Ｐ−Ｐ  仮想縦中心線
Ｑ−Ｑ  仮想横中心線
【図１】
0005901174.tif 000002
【図２】
0005901174.tif 000003
【図３】
0005901174.tif 000004
【図４】
0005901174.tif 000005
【図５】
0005901174.tif 000006
【図６】
0005901174.tif 000007